【手続補正書】
【提出日】平成24年3月8日(2012.3.8)
【手続補正１】
【補正対象書類名】特許請求の範囲
【補正対象項目名】全文
【補正方法】変更
【補正の内容】
【特許請求の範囲】
【請求項１】
給電をするに際して、電源プラグと分離して用いられるＲＦＩＤタグの識別情報を認証することを要するコンセント装置において；
前記電源プラグを接続する１つのプラグ受けと、
前記プラグ受けに給電する電路の途中に設けられ、かつ前記電路を開閉する電路開閉器と、
前記電路開閉器を制御する盗電防止制御手段と、
前記電源プラグを前記プラグ受けに差し込んだ際に前記電源プラグの刃底面を検出する刃底面検出手段と、
を備えており、
給電中に前記刃底面検出手段が前記電源プラグの刃底面を検出できなくなった場合には、前記プラグ受けへの給電を停止するように、前記盗電防止制御手段が前記電路開閉器を制御して盗電を防止することを特徴とするコンセント装置。
【請求項２】
前記給電をするに際して；
少なくとも前記ＲＦＩＤタグの識別情報が認証され、かつ前記刃底面検出手段が前記プラグの刃底面を検出した場合には、前記プラグ受けに給電を開始し、
前記ＲＦＩＤタグの識別情報が認証されない場合、前記刃底面検出手段が前記プラグの刃底面を検出できない場合には、前記プラグ受けに給電を開始しないように、前記盗電防止制御手段が前記電路開閉器を制御することを特徴とする請求項１に記載のコンセント装置。
【請求項３】
前記識別情報を認証した後、前記ＲＦＩＤタグを前記識別情報の通信範囲外に配置しても、前記ＲＦＩＤタグの識別情報が認証され、かつ前記刃底面検出手段が前記プラグの刃底面を検出して給電が開始された場合には、前記プラグ受けに引き続き給電をするように、前記盗電防止制御手段が前記電路開閉器を制御することを特徴とする請求項１または請求項２に記載のコンセント装置。
【請求項４】
給電をするに際して、電源プラグと分離して用いられるＲＦＩＤタグの識別情報を認証することを要するコンセント装置において；
前記電源プラグを接続する複数のプラグ受けと、
前記プラグ受けごとに個別に給電する個別電路の途中に設けられ、かつ前記個別電路を開閉する電路開閉器と、
前記電路開閉器を制御する盗電防止制御手段と、
前記プラグ受けごとに設けられて前記電源プラグを前記プラグ受けに差し込んだ際に前記電源プラグの刃底面を検出する刃底面検出手段と、
を備えており、
給電中に前記刃底面検出手段のいずれかが前記刃底面を検出できなくなった場合には、前記刃底面を検出できなくなった刃底面検出手段が設けられたプラグ受けへの給電を停止するように、前記盗電防止制御手段が前記電路開閉器を個別に制御して盗電を防止することを特徴とするコンセント装置。
【請求項５】
前記給電をするに際して；
少なくとも前記ＲＦＩＤタグの識別情報が認証され、かつ前記刃底面検出手段が前記プラグの刃底面を検出した場合には、前記プラグの刃底面を検出した刃底面検出手段が設けられたプラグ受けに給電を開始し、
前記ＲＦＩＤタグの識別情報が認証されない場合には前記プラグ受けの全てに給電しないように、前記盗電防止制御手段が前記電路開閉器を制御し、
前記ＲＦＩＤタグの識別情報が認証されても、前記刃底面検出手段が前記プラグの刃底面を検出できない場合には、前記プラグの刃底面を検出できない刃底面検出手段が設けられたプラグ受けに給電を開始しないように、前記盗電防止制御手段が前記電路開閉器を個別に制御することを特徴とする請求項４に記載のコンセント装置。
【請求項６】
前記識別情報を認証した後、前記ＲＦＩＤタグを前記識別情報の通信範囲外に配置しても、前記ＲＦＩＤタグの識別情報が認証され、かつ前記刃底面検出手段が前記プラグの刃底面を検出して給電が開始されたプラグ受けには、引き続き給電をするように、前記盗電防止制御手段が前記電路開閉器を制御することを特徴とする請求項４または請求項５に記載のコンセント装置。
【請求項７】
前記識別情報を認証する際に、前記識別情報を読み取る識別情報読み取り手段が、前記複数のプラグ受けに対して１つのみであることを特徴とする請求項４乃至請求項６のいずれか１つに記載のコンセント装置。
【請求項８】
前記刃底面検出手段が前記電源プラグの底面を検出する底面検出手段であり、
前記電源プラグの着座面が溝部の底部となるように、前記コンセントが形成されており、
前記底面検出手段の検出可能距離をＬ１とし、前記溝部の高さをＬ２とした場合に、Ｌ２＞Ｌ１となるように、前記溝部が形成されていることを特徴とする請求項１乃至請求項７のいずれか１つに記載のコンセント装置。
【請求項９】
請求項１乃至請求項８のいずれか１つに記載のコンセント装置において用いられる盗電防止制御手段。
【手続補正２】
【補正対象書類名】明細書
【補正対象項目名】全文
【補正方法】変更
【補正の内容】
【発明の詳細な説明】
【発明の名称】コンセント装置、盗電防止制御手段
【技術分野】
【０００１】
本発明は、ＲＦＩＤを用いて盗電防止を行うコンセント装置、盗電防止制御手段に関するもので、例えば、電源プラグをコンセントに接続して使用する電気車両（例えば、プラグインハイブリット車、プラグイン電気自動車）、電気機器（例えば、テレビ、自動販売機、洗濯機、照明、芝刈り機）などに給電するコンセントの盗電防止に用いて好適である。
【背景技術】
【０００２】
従来の盗電防止手段を備えていないコンセントは、盗電防止対策の一例として、屋内に設置された電路遮断器（例えば、熱動型過電流継電器、ノーヒューズ配線用遮断器など）をいちいち手動で遮断することが必要であった。そこで、屋内に設置された電路遮断器をいちいち操作せずとも、電気車両、電気機器に給電を行い、かつ盗電を低減するものが公開されている。なかでも、ＲＦＩＤタグを用いて盗電防止を行うものは、電源プラグの差込口が露出した状態でも所定の盗電防止効果を得ることができるので、有望な手段、方法として注目されている。
【０００３】
例えば、充電装置に備えられたリード・ライト装置にＩＣカードを挿入し、ＩＣカードの識別情報と、充電装置に記憶された識別情報とが一致した場合には、マネージメントＥＣＵが、電気車両側に設けられたメインコネクタ（本発明の電磁継電器に相当）を制御してバッテリへの電力供給を可能にするようにした充電装置が公開されている。上記充電装置は、自宅のガレージで、電気車両の充電を行うことができる。（例えば、特許文献１参照）。
【０００４】
また、ＲＦＩＤタグが取り付けられた電源プラグをコンセントに差し込んだ際に、ＲＦＩＤタグの識別情報を読み取って、指定した機器のみに電力を与えるようにする電力供給システムが公開されている。（例えば、特許文献２参照）
【先行技術文献】
【特許文献】
【０００５】
【特許文献１】特開平１０−２６２３０３号公報
【特許文献２】特開２００８−２４５４４１号公報
【発明の概要】
【発明が解決しようとする課題】
【０００６】
特許文献１の充電装置は、ＲＦＩＤタグを内蔵したＩＣカードを用いるものであるが、充電中、ＩＣカードを常にＲＦＩＤリード／ライト装置に挿入させなければならない。そのため、充電時間が長いと、目を離している間に、ＩＣカードが盗まれて、ＩＣカードを複製されてしまう、あるいは識別情報を盗まれてしまうなどして盗電される可能性があった。また、特許文献２の電力供給システムは、電源プラグにＲＦＩＤタグを取り付けることにより、常に監視する必要はないものの、盗電しようとする者が電源プラグを取り外し、あるいはＲＦＩＤタグを取り外し、ＲＦＩＤタグをＲＦＩＤリード／ライト装置（ＲＦＩＤタグリーダ）に近接して、盗電する可能性を排除できない。
【０００７】
本発明は上記点に鑑み、盗電防止効果の高いコンセント装置、盗電防止制御手段を提供することを目的とする。
【課題を解決するための手段】
【０００８】
請求項１乃至請求項８に記載の発明は、コンセント装置に関する。請求項９に記載の発明は、請求項１乃至請求項８に記載したコンセント装置に関するもので、請求項１乃至請求項８に記載したコンセント装置に用いられる盗電防止制御手段に関する。なお、本発明の電力消費体とは、電気車両（例えば、プラグインハイブリット車、プラグイン電気自動車）、電気機器（例えば、テレビ、自動販売機、洗濯機、照明、芝刈り機）等、電力を消費するものを言う。なお、本発明の刃底面検出手段は、後述する刃検出手段、底面検出手段の総称である。また、本発明の刃底面は、後述する電源プラグの刃、底面の総称である。
【０００９】
本発明は、上記目的を達成するために、請求項１に記載の発明では、給電をするに際して、電源プラグと分離して用いられるＲＦＩＤタグの識別情報を認証することを要するコンセント装置において；
電源プラグを接続する１つのプラグ受けと、
プラグ受けに給電する電路の途中に設けられ、かつ電路を開閉する電路開閉器と、
電路開閉器を制御する盗電防止制御手段と、
電源プラグをプラグ受けに差し込んだ際に電源プラグの刃底面を検出する刃底面検出手段と、
を備えており、
給電中に刃底面検出手段が電源プラグの刃底面を検出できなくなった場合には、プラグ受けへの給電を停止するように、盗電防止制御手段が電路開閉器を制御して盗電を防止することを特徴とする。
【００１０】
これによれば、給電をするに際して、電源プラグと分離して用いられるＲＦＩＤタグの識別情報を認証することを要するために、認証できない不正な給電を排除できる。また、不正な給電を試みる者が給電中に電源プラグを抜くと、刃底面検出手段が電源プラグの刃底面を検出できなくなる。盗電防止制御手段は、これを受けてプラグ受けへの給電を停止するように、電路開閉器を制御することができる。したがって、電源プラグの差し換えによる盗電も防止することができる。その結果、盗電防止効果の高いコンセント装置を提供することができる。
【００１１】
請求項２に記載の発明では、請求項１において、給電をするに際して；
少なくともＲＦＩＤタグの識別情報が認証され、かつ刃底面検出手段がプラグの刃底面を検出した場合には、プラグ受けに給電を開始し、
ＲＦＩＤタグの識別情報が認証されない場合、刃底面検出手段がプラグの刃底面を検出できない場合には、プラグ受けに給電を開始しないように、盗電防止制御手段が電路開閉器を制御することを特徴とする。
【００１２】
これによれば、少なくともＲＦＩＤタグの識別情報が認証され、かつ刃底面検出手段がプラグの刃底面を検出した場合に給電がなされ、ＲＦＩＤタグの識別情報が認証されない場合、刃底面検出手段がプラグの刃底面を検出できない場合には、プラグ受けに給電がなされない。その結果、盗電防止効果の高いコンセント装置を提供することができる。
【００１３】
請求項３に記載の発明では、請求項１または請求項２において、識別情報を認証した後、ＲＦＩＤタグを識別情報の通信範囲外に配置しても、ＲＦＩＤタグの識別情報が認証され、かつ刃底面検出手段がプラグの刃底面を検出して給電が開始された場合には、プラグ受けに引き続き給電をするように、盗電防止制御手段が電路開閉器を制御することを特徴とする。
【００１４】
これによれば、識別情報を認証した後、ＲＦＩＤタグを識別情報の通信範囲外に配置しても、ＲＦＩＤタグの識別情報が認証され、かつ刃底面検出手段がプラグの刃底面を検出して給電が開始された場合には、プラグ受けに引き続き給電をすることができる。つまり、ＲＦＩＤタグは、一時的な電子キーとして機能する。そのため、充電中にＩＣカードが盗まれて、ＩＣカードを複製されてしまう、あるいは識別情報を盗まれてしまう可能性を排除することができる。また、電源プラグにＲＦＩＤを取り付けなくてもよいので、盗電しようとする者が電源プラグを取り外し、あるいはＲＦＩＤタグを取り外し、ＲＦＩＤタグをＲＦＩＤリード／ライト装置に近接して、盗電する可能性も排除できる。その結果、盗電防止効果の高いコンセント装置を提供することができる。
【００１５】
請求項４に記載の発明では、給電をするに際して、電源プラグと分離して用いられるＲＦＩＤタグの識別情報を認証することを要するコンセント装置において；
電源プラグを接続する複数のプラグ受けと、
プラグ受けごとに個別に給電する個別電路の途中に設けられ、かつ個別電路を開閉する電路開閉器と、
電路開閉器を制御する盗電防止制御手段と、
プラグ受けごとに設けられて電源プラグをプラグ受けに差し込んだ際に電源プラグの刃底面を検出する刃底面検出手段と、
を備えており、
給電中に刃底面検出手段のいずれかが刃底面を検出できなくなった場合には、刃底面を検出できなくなった刃底面検出手段が設けられたプラグ受けへの給電を停止するように、盗電防止制御手段が電路開閉器を個別に制御して盗電を防止することを特徴とする。
【００１６】
これによれば、給電をするに際して、電源プラグと分離して用いられるＲＦＩＤタグの識別情報を認証することを要するために、認証できない不正な給電を排除できる。また、不正な給電を試みる者が給電中に電源プラグを抜くと、刃底面検出手段が電源プラグの刃底面を検出できなくなる。盗電防止制御手段は、これを受けて刃底面を検出できなくなった刃底面検出手段が設けられたプラグ受けへの給電を停止するように、電路開閉器を制御することができる。したがって、電源プラグの差し換えによる盗電も防止することができる。その結果、盗電防止効果の高いコンセント装置を提供することができる。
【００１７】
請求項５に記載の発明では、請求項４において、給電をするに際して；
少なくともＲＦＩＤタグの識別情報が認証され、かつ刃底面検出手段がプラグの刃底面を検出した場合には、プラグの刃底面を検出した刃底面検出手段が設けられたプラグ受けに給電を開始し、
ＲＦＩＤタグの識別情報が認証されない場合にはプラグ受けの全てに給電しないように、盗電防止制御手段が電路開閉器を制御し、
ＲＦＩＤタグの識別情報が認証されても、刃底面検出手段がプラグの刃底面を検出できない場合には、プラグの刃底面を検出できない刃底面検出手段が設けられたプラグ受けに給電を開始しないように、盗電防止制御手段が電路開閉器を個別に制御することを特徴とする。
【００１８】
これによれば、少なくともＲＦＩＤタグの識別情報が認証されない限り、複数のプラグ受けのいずれにも給電されることがない。また、ＲＦＩＤタグの識別情報が認証されても、刃底面検出手段がプラグの刃底面を検出できない場合には、プラグの刃底面を検出できない刃底面検出手段が設けられたプラグ受けに給電を開始しないようにできる。つまり、給電をするに際して、少なくともＲＦＩＤタグの識別情報が認証され、かつ刃底面検出手段がプラグの刃底面を検出した場合に、プラグの刃底面を検出した刃底面検出手段が設けられたプラグ受けののみ給電がなされる。その結果、盗電防止効果の高いコンセント装置を提供することができる。
【００１９】
請求項６に記載の発明では、請求項４または請求項５において、識別情報を認証した後、ＲＦＩＤタグを識別情報の通信範囲外に配置しても、ＲＦＩＤタグの識別情報が認証され、かつ刃底面検出手段がプラグの刃底面を検出して給電が開始されたプラグ受けには、引き続き給電をするように、盗電防止制御手段が電路開閉器を制御することを特徴とする。
【００２０】
これによれば、識別情報を認証した後、ＲＦＩＤタグを識別情報の通信範囲外に配置しても、ＲＦＩＤタグの識別情報が認証され、かつ刃底面検出手段がプラグの刃底面を検出して給電が開始されたプラグ受けには、引き続き給電をすることができる。つまり、ＲＦＩＤタグは、一時的な電子キーとして機能する。そのため、充電中にＩＣカードが盗まれて、ＩＣカードを複製されてしまう、あるいは識別情報を盗まれてしまう可能性を排除することができる。また、電源プラグにＲＦＩＤを取り付けなくてもよいので、盗電しようとする者が電源プラグを取り外し、あるいはＲＦＩＤタグを取り外し、ＲＦＩＤタグをＲＦＩＤリード／ライト装置に近接して、盗電する可能性も排除できる。その結果、盗電防止効果の高いコンセント装置を提供することができる。
【００２１】
請求項７に記載の発明では、請求項４乃至請求項６のいずれか１つにおいて、識別情報を認証する際に、識別情報を読み取る識別情報読み取り手段が、複数のプラグ受けに対して１つのみであることを特徴とする。
【００２２】
これによれば、識別情報読み取り手段が、複数のプラグ受けに対して１つのみであるコンセント装置において、盗電防止効果の高いコンセント装置を提供することができる。
【００２３】
請求項８に記載の発明では、請求項１乃至請求項７のいずれか１つにおいて、刃底面検出手段が電源プラグの底面を検出する底面検出手段であり、
電源プラグの着座面が溝部の底部となるように、コンセントが形成されており、
底面検出手段の検出可能距離をＬ１とし、溝部の高さをＬ２とした場合に、Ｌ２＞Ｌ１となるように、溝部が形成されていることを特徴とする。
【００２４】
これによれば、溝部によって盗電し難くすることができるので、盗電防止効果の高いコンセント装置を提供することができる。
【００２５】
請求項９に記載の発明では、請求項１乃至請求項８のいずれか１つに記載のコンセント装置において用いられることを特徴とする。
【００２６】
これによれば、盗電防止効果の高い防止制御手段を提供することができる。また、請求項１乃至請求項８のいずれか１つに記載のコンセント装置に用いることで、盗電防止効果の高いコンセント装置を提供することができる。
【図面の簡単な説明】
【００２７】
【図１】本発明の第１実施形態によるコンセント装置の正面図である。
【図２】図１の側面図である。
【図３】本発明の第１実施形態によるコンセントの正面図である。
【図４】図３のＡ−Ａ断面図である。
【図５】図４のＢ部参考図である。
【図６】図４のＤ方向矢視図である。
【図７】第１の実施形態によるコンセント装置の装置構成図である。
【図８】第１の実施形態によるキー入力装置の外観図である。
【図９】第１の実施形態によるコンセント装置の制御フローチャートである。
【図１０】第１の実施形態によるコンセント装置の制御フローチャートである。
【図１１】第１の実施形態によるコンセント装置の制御フローチャートである。
【図１２】第２の実施形態によるコンセント装置の装置構成図である。
【図１３】第３の実施形態によるコンセント装置の装置構成図である。
【図１４】第３の実施形態によるキー入力装置の外観図である。
【図１５】第４の実施形態によるコンセント装置の装置構成図である。
【図１６】第４の実施形態によるコンセント装置の制御フローチャートである。
【図１７】第４の実施形態によるコンセント装置の制御フローチャートである。
【図１８】第６の実施形態乃至第８の実施形態によるコンセント装置の側面図である。
【図１９】第９の実施形態によるコンセント装置の側面図である。
【図２０】第９の実施形態によるコンセント装置の側面図である。
【図２１】第９の実施形態によるコンセント装置の側面図である。
【発明を実施するための最良の形態】
【００２８】
（第１の実施形態）
図１は、コンセント装置の正面図、図２は、図１の側面図、図３は、コンセントの正面図、図４は、図３のＡ−Ａ断面図、図５は、図４のＢ部参考図、図６は、図４のＤ方向矢視図である。なお、後述する刃検出手段、底面検出手段は、本発明の底面検出手段を構成する。後述する電源プラグの刃、底面は、総称して、刃底面と称するものとする。
【００２９】
コンセント装置１１は、図１、図２に示すように、コンセント１３、盗電防止装置１５、入力装置１７、ＲＦＩＤタグ７３を備えている。コンセント１３、入力装置１７は屋外に、盗電防止装置１５は室内に配置されている。
【００３０】
コンセント１３について説明する。コンセント１３は、図３、図４に示すように、取付板１９、防水パッキン２１、コンセント本体２３を備えている。
【００３１】
取付板１９は、図４に示すように、壁面Ｗに固定されるとともに、後述するコンセント本体２３を固定するための部材であり、合成樹脂などにより、四角形の板状に成型されている。取付板１９の中央部には、図４に示すように、壁面Ｗ側からの給電線２５をコンセント本体２３側に引き込むための穴部１９ａが形成されている。
【００３２】
防水パッキン２１は、コンセント１３の内部に雨水が侵入することを防止する部材であり、ゴムなどにより、四角形の板状に成型されている。防水パッキン２１の中央部には、壁面Ｗ側からの給電線２５をコンセント本体２３側に引き込むための穴部２１ａが形成されている。また、防水パッキン２１の外周部には、図５に示すように、溝部２１ｂ、２１ｃが形成されている。
【００３３】
また、コンセント本体２３は、図４に示すように、カバー２７、端子台２９を備えている。カバー２７は、端子台２９を係止するとともに、この端子台２９を覆うように成型されており、略鉛直方向に開口する開口部２７ｂが形成されている。開口部２７ｂの外周には、庇部３１が固定されている。
【００３４】
端子台２９は、図３に示すように、単層交流１００ボルト用のプラグＰ１を差し込む電源プラグ差込口２９ａ、単層交流１００ボルト用の接地極付プラグＰ２を差し込む電源プラグ差込口２９ｂが形成されており、さらに、プラグＰ１を接続、保持するプラグ受け２９ｃ、接地極付プラグＰ２を接続、保持するプラグ受け２９ｄ、給電線２５を差し込む接続端子２９ｅ、２９ｆが設けられている。プラグ受け２９ｃ、２９ｄは、図６に示すように、（隣り合うプラグ受けが繋がっていないように）独立して設けられている。プラグＰ１、接地極付プラグＰ２は、本発明の電源プラグの一例を構成する。
【００３５】
上述した端子台２９は、図４に示すように、電源プラグ差込口２９ａ、２９ｂがカバー２７の開口部２７ｂに位置するように、カバー２７に係止されている。電源プラグ差込口２９ａ、２９ｂは、庇部３１の内側で略下向きに配置され、庇部３１とともに、電源プラグ差込口２９ａ、２９ｂ、プラグ受け２９ｃ、２９ｄに雨水がかかるのを回避している。また、電源プラグ差込口２９ｂの接地極は、所定の導体を介してアース端子３３まで接続されており、アース端子３３から接地をすることができる。
【００３６】
なお、電源プラグ差込口の種類、形状、数量、電源プラグ差込口に供給される電源の種類、数量およびプラグ受けの数量は、第１実施形態のものに限定されるものではない。例えば、電源プラグ差込口に供給される電源は単層２００Ｖであってもよい。また、電源プラグ差込口は、電気車両専用のものであってもよい。
【００３７】
次に、盗電防止装置１５について説明する。盗電防止装置１５は、図７に示すように、電磁継電器３５、３７、盗電防止制御装置３９、直流電源４１、給電線２５を係止する接続端子４３、４５、４７を備えている。
【００３８】
電磁継電器３５は、プラグ受け２９ｃに対する給電のオン／オフを行うもので、コイル３５ａに直流電源が給電され、コイル３５ａが励磁されると、機械接点３５ｂが閉じ、継電を行う。同様に、電磁継電器３７は、プラグ受け２９ｄに対する給電のオン／オフを行うもので、コイル３７ａに直流電源が給電され、コイル３７ａが励磁されると、機械接点３７ｂが閉じ、継電を行う。電磁継電器３５、３７は、本発明の電路開閉器の一例を構成する。なお、電路開閉器は、ＳＳＲ（ソリッドステートリレー）、プログラムリレーなどであってもよい。なお、図示はしないが、機械接点３５ｂ、機械接点３７ｂの焼き付きを防止するための保護回路が設けられる。
【００３９】
上述した電磁継電器３５は給電線２５ａの途中に配置され、電磁継電器３７は給電線２５ｂの途中に配置されている。給電線２５ａ、給電線２５ｂは、本発明の個別電路を構成する。因みに、給電線２５ｃは、プラグ受け２９ｃ、２９ｄの両方に給電できるので、本発明の個別電路ではない。
【００４０】
盗電防止制御装置３９は、ＣＰＵ４９、メモリ５１、電源分離回路５３、５５、ドライバ５７、５９、タイマ回路６１を備えている。ＣＰＵ４９は、後述するＲＦＩＤリード／ライト装置７５によって読み取られたＲＦＩＤタグ７３の識別情報の認証結果に基づいて、ドライバ５７、５９を作動／停止させるための指令信号を出力する。メモリ５１は、電磁継電器３５、３７を制御して盗電を防止する制御プログラムが記憶されている。
【００４１】
上述した盗電防止制御装置３９のうち、盗電を防止するための電子回路部分と、盗電を防止するプログラムは、本発明の盗電防止制御手段を構成する。また、盗電防止制御装置３９のうち、識別情報を認証するための電子回路部分と、識別情報を認証するプログラムは、本発明の識別情報認証手段を構成する。なお、盗電防止制御手段は、後述する制御手順からも明らかなように、給電手段、給電停止手段、および給電機能、給電停止機能を備えている。
【００４２】
電源分離回路５３は、電磁継電器３５のコイル３５ａを作動させるための信号伝達回路である。電源分離回路５５は、電磁継電器３７のコイル３７ａを作動させるための信号伝達回路である。ドライバ５７は、電源分離回路５３の励磁信号に基づいて、電磁継電器３５のコイル３５ａを励磁する。ドライバ５９は、電源分離回路５３の励磁信号に基づいて、電磁継電器３５のコイル３７ａを励磁する。電磁継電器３５、３７、盗電防止制御装置３９は、直流電源４１に接続されている。
【００４３】
また、コンセント１３は、プラグＰ１の刃を検出する刃検出センサ６３、接地極付プラグＰ２の刃を検出する刃検出センサ６５を備えている。刃検出センサ６３、６５は、本発明の刃検出手段の一例を構成する。なお、第１の実施形態では、刃検出手段に、光電センサが用いたが、静電容量型センサ、近接センサ方式、リミットスイッチなどであってもよい。
【００４４】
なお、プラグＰ１の刃、接地極付プラグＰ２の刃を検出する方法は、プラグＰ１の刃、接地極付プラグＰ２の刃を直接検出する方法の他に、間接的に検出する方法であってもよい。間接的に検出する方法について例示すると、コンセント１３内に図示しない可動部を設け、プラグＰ１、接地極付プラグＰ２が差し込まれた際に、プラグＰ１の刃、接地極付プラグＰ２の刃を介して可動部が可動するように構成されており、この可動部をセンサで検出する方法がある。
【００４５】
また、上述した盗電防止装置１５には、図２に示すように、設定変更手段６７が備えられており、適宜、後述するキー入力許容時間Ｔ１、プラグセット許容時間Ｔ２、給電許容時間Ｔ３を変更できるように構成されている。
【００４６】
上述したコンセント装置１１には、図７に示すように、ブレーカ６９、熱動型過電流継電器７１を介して、商用電源が供給されている。熱動型過電流継電器７１から出力される単相交流１００Ｖ電源は、電磁継電器３５、３７、端子台２９を経由して、プラグ受け２９ｃ、２９ｄに供給される。一方、熱動型過電流継電器７１から出力される単相交流１００Ｖ電源が、接続端子４３において分岐され、上述した直流電源４１に接続されている。なお、上述したブレーカ６９、熱動型過電流継電器７１は、本発明のコンセント装置１１に含まれない。
【００４７】
次に、入力装置１７について説明する。入力装置１７は、図７、図８に示すように、ＲＦＩＤ（Ｒａｄｉｏ  Ｆｒｅｑｕｅｎｃｙ  ＩＤｅｎｔｉｆｉｃａｔｉｏｎ）タグ７３の識別情報を読み取るＲＦＩＤリード／ライト装置７５、操作部７７を備えている。
【００４８】
ＲＦＩＤタグ７３は、電磁誘導方式により、ＲＦＩＤリード／ライト装置７５からの電波をエネルギー源として動作するパッシブタグであり、プロセッサ搭載またはプロセッサ非搭載のコントローラ部分、ＥＥＰＲＯＭ、ＳＲＡＭなどを記憶デバイスとして内蔵したＩＣチップ７３ａと、導線で形成したコイル７３ｂを備えている。ＲＦＩＤタグ７３は、携帯電話Ｔに配置されている。ここで言う配置とは、内蔵、取付、固定、貼付を含む概念である。なお、ＲＦＩＤタグ７３は、携帯電話Ｔの他に、例えば、自動車のキー、カード、携帯情報端末、時計、ぬいぐるみなど、移動自在な構造体に配置してもよい。ただし、プラグ受け２９ｃ、２９ｄに接続される電源ケーブルは、上述した構造体に含まれない。
【００４９】
ＲＦＩＤリード／ライト装置７５は、ＲＦＩＤタグ７３に対して、所定の通信範囲（動作空間）を有しており、この通信範囲内に、携帯電話Ｔに配置されたＲＦＩＤタグ７３を近接させて、情報（例えば識別情報）の読み出し、書き込みなどを行う装置であり、盗電防止制御装置３９とのインターフェースを制御するマイコン、ＲＦＩＤタグとの通信を行う専用ＩＣからなる制御部７５ａ、アンテナ７５ｂで構成されている。ＲＦＩＤリード／ライト装置７５は、本発明の識別情報読み取り手段を構成する。なお、第１の実施形態では、ＲＦＩＤリード／ライト装置７５は、複数のプラグ受け２９ｃ、２９ｄに対して、１つのみ用いられる。ＲＦＩＤタグ７３の識別情報が通信範囲内において読み取られ、かつ認証された後は、ＲＦＩＤタグ７３を通信範囲外に配置する。
【００５０】
ＲＦＩＤリード／ライト装置７５、ＲＦＩＤタグ７３は周知の技術であり、識別情報の読み取り手順は省略する。識別情報の読み取りは、セキュリティの観点から、いわゆる相互認証を行うようにしてもよい。また、ＲＦＩＤタグ７３は、携帯電話Ｔの電源投入の有無にかかわらず機能するようにしてもよい。また、ＲＦＩＤタグ７３は、携帯電話Ｔの画面を表示した状態で、携帯電話Ｔの数字キーを押してパスワードを設定し、入力したパスワードが携帯電話Ｔに予め記憶された所定のパスワードと一致したときのみに、機能するようにしてもよい。
【００５１】
操作部７７は、図８に示すように、スタートボタン７７ａ、設定完了ボタン７７ｂ、停止ボタン７７ｃ、給電ランプ７７ｄを備えている。スタートボタン７７ａは、盗電防止制御装置３９に電源を投入し、制御を開始するボタンである。設定完了ボタン７７ｂは、後述するプラグセット許容時間Ｔ２以内にプラグＰ１、接地極付プラグＰ２のプラグセット（差し込む電源プラグを選択して、電源プラグを差し込む行為）を完了したときに、プラグセット許容時間Ｔ２を待たずに、後述する盗電防止制御を開始したい場合に押すボタンである。停止ボタン７７ｃは、緊急時、またはコンセントの使用を停止したい場合に押すボタンである。給電ランプ７７ｄは、制御状態を色によって操作者に知らしめるランプである。なお、プラグセット（差し込む電源プラグを選択して、電源プラグを差し込む行為）の概念には、プラグ受けのいずれにも電源プラグを差し込まない場合も含まれる。
【００５２】
次に、識別情報入力許容時間Ｔ１、プラグセット許容時間Ｔ２、給電許容時間Ｔ３、制御基準点について説明する。
【００５３】
識別情報入力許容時間Ｔ１とは、ＲＦＩＤリード／ライト装置７５が識別情報を読み取る許容時間である。プラグセット許容時間Ｔ２とは、盗電防止制御を行うまでの許容時間である。給電許容時間Ｔ３とは、給電を行う許容時間である。
【００５４】
制御基準点とは、制御基準点以降において、新たに電源プラグを差し込んでも、給電しない盗電防止制御を行うための基準となる点であり、第１の実施形態ではステップＳ１２０が終了した時点、あるいはステップＳ１３０が終了した時点を制御基準点としている。
【００５５】
盗電防止制御を具体的に説明すると、次の（１）乃至（３）の制御を行うことができる。
（１）制御基準点において、電源プラグが差し込まれているプラグ受けに対して給電をする。ただし、当該プラグ受けに差し込まれている電源プラグを抜いた場合には、給電を停止するように、電磁継電器を制御する。
（２）制御基準点において、電源プラグが差し込まれていないプラグ受けには、以降、当該プラグ受けに対して給電をしないように、電磁継電器を制御する。
（３）制御基準点以降、新たに電源プラグを差し込んでも、給電しないように、電磁継電器を制御する。
【００５６】
次に、第１の実施形態の制御手順について説明する。図９乃至図１１に、第１の実施形態におけるコンセント装置１１の制御手順の一例を示す。
【００５７】
ステップＳ１０では、操作部７７のスタートボタン７７ａを押す。給電ランプ１７ｄが赤色に点灯する。
【００５８】
ステップＳ２０では、識別情報入力許容時間Ｔ１、プラグセット許容時間Ｔ２、給電許容時間Ｔ３を初期化する。タイマ回路６１が計時を開始する。
【００５９】
ステップＳ３０では、識別情報入力許容時間Ｔ１が経過したか否かを判定する。識別情報入力許容時間Ｔ１が経過した場合には、ステップＳ２１０に進む。識別情報入力許容時間Ｔ１が経過していない場合には、ステップＳ４０に進む。
【００６０】
ステップＳ４０では、ＲＦＩＤタグ７３が内蔵された携帯電話ＴをＲＦＩＤリード／ライト装置７５の通信範囲（動作範囲）内に配置し、認証動作を行う。動作後、ステップＳ５０に進む。
【００６１】
ステップＳ５０では、識別情報の認証の良否が判定される。識別情報が認証された場合にはステップＳ６０に進む。識別情報が認証されない場合には、ステップＳ２１０に進む。
【００６２】
ステップＳ６０では、給電ランプ１７ｄが緑色に点灯する。制御後ステップＳ７０に進む。識別情報が認証され、給電ランプ１７ｄが緑色に点灯したら、ＲＦＩＤタグ７３が配置された携帯電話ＴをＲＦＩＤリード／ライト装置７５の通信範囲（動作範囲）外に配置する。
【００６３】
ステップＳ７０では、プラグセット許容時間Ｔ２が経過したか否かを判定する。プラグセット許容時間Ｔ２内である場合、ステップＳ７０に進む。プラグセット許容時間Ｔ２が経過した場合、ステップＳ８０に進む。プラグセット許容時間Ｔ２内に、給電を必要とするプラグＰ１、接地極付プラグＰ２を、プラグ受け２９ｃ、２９ｄに差し込むようにする。なお、ステップＳ６０終了後、プラグセット許容時間Ｔ２が経過していない場合でも、プラグセットが完了し、操作部７７の設定完了ボタン７７ｂを押した場合には、即座に割り込み処理を行い、ステップ８０に進む。
【００６４】
ステップＳ８０では、プラグＰ１がプラグ受け２９ｃに差し込まれているか否かを検出する。刃検出センサ６３がプラグＰ１の刃を検出した場合にはステップＳ９０に進む。刃検出センサ６３がプラグＰ１の刃を検出できない場合にはステップＳ１００に進む。
【００６５】
ステップＳ９０では、電磁継電器３５をオンにする。ＣＰＵ４９が、電磁継電器３５のコイル３５ａを励磁する指令信号を出力し、電源分離回路５３、ドライバ５７を経由してコイル３５ａを励磁する。通常は、ステップＳ８０実行前において、コイル３５ａが非励磁状態であり、コイル３５ａが非励磁状態から励磁状態に制御される。その際、機械接点３５ｂが閉じて、プラグ受け２９ｃへの給電を行う。処理後、ステップＳ１１０に進む。
【００６６】
ステップＳ１００では、電磁継電器３５をオフにする。ＣＰＵ４９が、電磁継電器３５のコイル３５ａを非励磁状態にする指令信号を出力し、電源分離回路５３、ドライバ５７を経由してコイル３５ａを非励磁状態にする。通常は、ステップＳ８０実行前において、コイル３５ａが非励磁状態であるので、コイル３５ａの非励磁状態が維持される。機械接点３５ｂは開いた状態が維持されるので、プラグ受け２９ｃには給電がなされない。処理後、ステップＳ１１０に進む。
【００６７】
ステップＳ１１０では、接地極付プラグＰ２がプラグ受け２９ｄに差し込まれているか否かを検出する。刃検出センサ６５が接地極付プラグＰ２の刃を検出した場合にはステップＳ１２０に進む。刃検出センサ６５が接地極付プラグＰ２の刃を検出できない場合にはステップＳ１３０に進む。
【００６８】
ステップＳ１２０では、電磁継電器３７をオンにする。ＣＰＵ４９が、電磁継電器３７のコイル３７ａを励磁する指令信号を出力し、電源分離回路５５、ドライバ５９を経由してコイル３７ａを励磁する。通常は、ステップＳ１１０実行前において、コイル３７ａが非励磁状態であり、コイル３７ａが非励磁状態から励磁状態に制御される。その際、機械接点３７ｂが閉じて、プラグ受け２９ｄへの給電を行う。処理後、ステップＳ１４０に進む。
【００６９】
ステップＳ１３０では、電磁継電器３７をオフにする。ＣＰＵ４９が、電磁継電器３７のコイル３７ａを非励磁状態にする指令信号を出力し、電源分離回路５５、ドライバ５９を経由してコイル３７ａを非励磁状態にする。通常は、ステップＳ１１０実行前において、コイル３７ａが非励磁状態であるので、コイル３７ａの非励磁状態が維持される。機械接点３７ｂは開いた状態が維持されるので、プラグ受け２９ｄには給電がなされない。処理後、ステップＳ１４０に進む。
【００７０】
ステップＳ１４０では、給電許容時間Ｔ３が経過したか否かを判定する。給電許容時間Ｔ３が経過した場合には、ステップＳ２１０に進む。給電許容時間Ｔ３が経過していない場合には、ステップＳ１５０に進む。
【００７１】
ステップＳ１５０では、給電ランプ１７ｄが赤色に点灯する。処理後、ステップＳ１６０に進む。
【００７２】
ステップＳ１６０では、プラグＰ１および接地極付プラグＰ２が差し込まれているか否かを検出する。プラグＰ１の刃および接地極付プラグＰ２の刃の両方が検出されない場合には、ステップＳ２１０に進む。プラグＰ１の刃および接地極付プラグＰ２の刃のいずれか１つ以上が検出される場合には、ステップＳ１７０に進む。
【００７３】
ステップＳ１７０では、プラグＰ１が差し込まれているか否かを検出する。プラグＰ１が検出されない場合には、ステップＳ１８０に進む、プラグＰ１が検出される場合には、ステップＳ１９０に進む。
【００７４】
ステップＳ１８０では、電磁継電器３５をオフにする。ＣＰＵ４９が、コイル３５ａを非励磁状態にする指令信号を出力し、電源分離回路５３、ドライバ５７を経由してコイル３５ａを非励磁状態にする。ステップＳ１７０実行前において、コイル３５ａが非励磁状態である場合には、コイル３５ａの非励磁状態が維持される。機械接点３５ｂは開いた状態が維持されるので、プラグ受け２９ｃには給電がなされない。ステップＳ１７０実行前において、コイル３５ａが励磁状態である場合には、コイル３５ａが励磁状態から非励磁状態に制御される。その際、機械接点３５ｂが開いて、プラグ受け２９ｃへの給電を停止する。処理後、ステップＳ１９０に進む。以後、制御が終了するまで、プラグ受け２９ｃへの給電を停止する。
【００７５】
ステップＳ１９０では、接地極付プラグＰ２が差し込まれているか否かを検出する。接地極付プラグＰ２の刃が検出されない場合には、ステップＳ２００に進む。接地極付プラグＰ２の刃が検出される場合には、ステップＳ１４０に進む。
【００７６】
ステップＳ２００では、電磁継電器３７をオフにする。ＣＰＵ４９が、コイル３７ａを非励磁状態にする指令信号を出力し、電源分離回路５５、ドライバ５９を経由してコイル３７ａを非励磁状態にする。ステップＳ１９０実行前において、コイル３７ａが非励磁状態である場合には、コイル３７ａの非励磁状態が維持される。機械接点３７ｂは開いた状態が維持されるので、プラグ受け２９ｄには給電がなされない。ステップＳ１９０実行前において、コイル３７ａが励磁状態である場合には、コイル３７ａが励磁状態から非励磁状態に制御される。その際、機械接点３７ｂが開いて、プラグ受け２９ｄへの給電を停止する。処理後、ステップＳ１４０に進む。以後、制御が終了するまで、プラグ受け２９ｄへの給電を停止する。
【００７７】
ステップＳ２１０では、電磁継電器３５、電磁継電器３７をオフにする。また、給電ランプ７７ｄを消灯する。ＣＰＵ４９が、コイル３５ａを非励磁状態にする指令信号を出力し、電源分離回路５３、ドライバ５７を経由して電磁継電器３５のコイル３５ａを非励磁状態にする。同様に、ＣＰＵ４９が、コイル３７ａを非励磁状態にする指令信号を出力し、電源分離回路５５、ドライバ５９を経由して電磁継電器３７のコイル３７ａを非励磁状態にする。通常は、ステップＳ２１０実行開始時において、コイル３５ａ、３７ａが非励磁状態であるので、非励磁状態を維持する。機械接点３５ｂ、３７ｂは開いた状態が維持されるので、プラグ受け２９ｃ、２９ｄには給電がなされない。なお、ステップＳ３０、ステップＳ５０、ステップＳ１４０から分岐制御され、ステップ２１０に至ったときは、電磁継電器３５、電磁継電器３７を制御して、即座に給電を停止する。処理後、ステップＳ２２０に進む。
【００７８】
ステップＳ２２０では、制御を終了する。なお、停止ボタン７７ｃを押すと、割込制御を行い、電磁継電器３５、電磁継電器３７を制御して、即座に給電を停止する。
【００７９】
上記制御手順によれば、次のようにして、盗電を防止することができる。
（１）識別情報が認証されない場合、プラグ受け２９ｃ、２９ｄに給電がなされない。
（２）プラグセット許容時間Ｔ２が経過すると、プラグＰ１、接地極付プラグＰ２の差し込み状況に応じて、プラグ受け２９ｃ、２９ｄに給電がなされる。具体的には、刃検出センサ６３、６５のうち、刃検出センサ６３がプラグＰ１の刃を検出し、刃検出センサ６５が接地極付プラグＰ２の刃を検出できない場合には、盗電防止制御手段が電磁継電器３５のコイル３５ａを励磁状態にして、プラグ受け２９ｃにのみ給電するように制御することができる。刃検出センサ６３、６５のうち、刃検出センサ６５が接地極付プラグＰ２の刃を検出し、刃検出センサ６３がプラグＰ１の刃を検出できない場合には、盗電防止制御手段が電磁継電器３７のコイル３７ａを励磁状態にして、プラグ受け２９ｄにのみ給電するように制御することができる。刃検出センサ６３、６５が、それぞれプラグＰ１の刃、接地極付プラグＰ２の刃を検出した場合には、盗電防止制御手段が電磁継電器３５のコイル３５ａ、電磁継電器３７のコイル３７ａを励磁状態にして、プラグ受け２９ｃ、２９ｄの両方に給電するように制御することができる。刃検出センサ６３、６５が、それぞれプラグＰ１の刃、接地極付プラグＰ２の刃を検出できない場合には、盗電防止制御手段が電磁継電器３５のコイル３５ａ、電磁継電器３７のコイル３７ａを非励磁状態にして、プラグ受け２９ｃ、２９ｄの両方に給電しないように制御することができる。
（３）制御基準点に到達すると、コイル３５ａ、コイル３７ａの励磁状態または非励磁状態が維持される。ただし、刃検出センサ６３がプラグＰ１の刃を検出している状態からプラグＰ１の刃を検出できない状態になった場合には、プラグＰ１が抜かれたものとして、電磁継電器３５のコイル３５ａを非励磁状態にし、以降、プラグ受け２９ｃへの給電を停止することができる。また、刃検出センサ６５が接地極付プラグＰ２の刃を検出している状態から接地極付プラグＰ２の刃を検出できない状態になった場合には、接地極付プラグＰ２が抜かれたものとして、電磁継電器３７のコイル３７ａを非励磁状態にし、以降、プラグ受け２９ｄへの給電を停止することができる。
（４）制御基準点到達後、新たに、プラグＰ１をプラグ受け２９ｃに差し込んでも、給電がなされないように制御される。また、接地極付プラグＰ２をプラグ受け２９ｄに差し込んでも、給電がなされないように制御される。
（５）制御基準点到達時、プラグＰ１、接地極付プラグＰ２のどちらも差し込まれていない場合には、電磁継電器３５のコイル３５ａ、電磁継電器３７のコイル３７ａを非励磁状態とし、以降、プラグ受け２９ｃへの給電を停止することができる。
【００８０】
上記構成によれば、ＲＦＩＤタグ７３の識別情報が通信範囲内において読み取られ、かつ認証された後、ＲＦＩＤタグ７３が通信範囲外に配置されても、盗電防止制御手段が、刃検出センサ６３、６５によるプラグＰ１、接地極付プラグＰ２の刃の検出結果に基づいて、電磁継電器３５、３７を個別に制御して盗電を防止することができる。つまり、ＲＦＩＤタグ７３は、一時的な電子キーとして機能し、ＲＦＩＤタグ７３に記憶された識別情報を、常に識別情報読み取り手段で読み取る必要がない。そのため、充電中にＩＣカードが盗まれて、ＩＣカードを複製されてしまう、あるいは識別情報を盗まれてしまう可能性を排除することができる。また、電源プラグにＲＦＩＤを取り付けなくてもよいので、盗電しようとする者が電源プラグを取り外し、あるいはＲＦＩＤタグを取り外し、ＲＦＩＤタグをＲＦＩＤリード／ライト装置に近接して、盗電する可能性も排除できる。
【００８１】
その結果、盗電防止効果の高いコンセント装置を提供することができる。
【００８２】
（第２の実施形態）
第１の実施形態では、ＲＦＩＤリード／ライト装置７５と、盗電防止制御装置３９との間が、有線にて接続されたが、ＲＦＩＤリード／ライト装置７５と、盗電防止制御装置３９との間が、無線にて接続されてもよい。なお、以下の説明では、図８において説明したスタートボタン７７ａ、設定完了ボタン７７ｂ、停止ボタン７７ｃ、給電ランプ７７ｄを合わせてボタン／ランプ群７７Ａと称するものとする。
【００８３】
図１２に示すように、入力装置１７は、ＲＦＩＤリード／ライト装置７５、操作部７７Ａを備えるとともに、マイクロプロセッサ７９、送信モジュール８１、受信モジュール８３が内蔵されている。一方、盗電防止制御装置３９側には、受信モジュール８５、送信モジュール８７が設けられている。
【００８４】
上述した送信モジュール８１は変調／送信機能を、受信モジュール８３は受信／復調機能を備えており、両者の間で無線通信が行われる。また、送信モジュール８７が変調／送信機能を、受信モジュール８５が受信／復調機能を備えており、両者の間で無線通信が行われる。ＲＦＩＤタグ７３を内蔵した携帯電話ＴをＲＦＩＤリード／ライト装置７５に近接させると、ＲＦＩＤリード／ライト装置７５がＲＦＩＤタグ７３の識別情報を読み込んで、認証を行う。識別情報の認識結果は、マイクロプロセッサ７９、送信モジュール８１、受信モジュール８３の順に送信され、盗電防止制御装置３９に出力される。識別情報の認識結果を、送信モジュール８１に直接送信するようにしてもよい。また、給電ランプ７７ｄを点灯、消灯する信号が、盗電防止制御装置３９から送信モジュール８７、受信モジュール８３を介してマイクロプロセッサ７９に送信される。
【００８５】
（第３の実施形態）
第１の実施形態、第２の実施形態では、プラグの差し込み状態に基づいて電磁継電器を個別に制御したが、給電するプラグ受け、または給電しないプラグ受けを手動選択するようにしてもよい。図１３は、第３の実施形態による装置構成図、図１４は、第３の実施形態による入力装置の外観図である。
【００８６】
ＲＦＩＤリード／ライト装置７５には、図１４に示すように、選択ボタン７７ｅ、７７ｆが設けられている。選択ボタン７７ｅを押すごとに、インターフェースを介して通電信号、遮断信号を交互に出力する。この際、通電信号出力時にはフラグＬ＝１が、遮断信号出力時にはフラグＬ＝０が、図１３に示すメモリ５１に記憶される。また、選択ボタン７７ｆを押すごとに、インターフェースを介して通電信号、遮断信号を交互に出力する。この際、通電信号出力時にはフラグＲ＝１が、遮断信号出力時にはフラグＲ＝０が、メモリ５１に記憶される。ＣＰＵ４９は、フラグＬ、フラグＲの値に基づいて、選択ランプ７７ｇ、７７ｈを点灯または消灯する指令信号を出力する。上述した選択ボタン７７ｅ、７７ｆは、識別情報が認証された後、プラグセット許容時間Ｔ２が終了するまでの間、有効となる。プラグセット許容時間Ｔ２が終了すると、フラグＬ、フラグＲの値に基づいて、給電しないプラグ受けに対し、給電をしないように制御する。詳細な制御手順は省略する。
【００８７】
（第４の実施形態）
第１の実施形態乃至第３の実施形態では、コンセント装置に、複数のプラグ受けが設けられている場合について説明したが、コンセント装置に、１つのプラグ受けが設けられてもよい。図１５に装置構成図を示す。なお、コンセント１３、盗電防止装置１５、入力装置１７の取付構成は、第１の実施形態と同様に構成されるものとする。
【００８８】
次に、第４の実施形態の制御手順について説明する。図１６、図１７に、第４の実施形態におけるコンセント装置１１の制御手順の一例を示す。
【００８９】
ステップＳ１０からステップＳ１００までの制御は、第１の実施形態で説明した制御手順のステップＳ１０からステップＳ１００と同様の制御が行われる。ただし、ステップＳ３０において識別情報入力許容時間Ｔ１が経過した場合、ステップＳ５０において、識別情報が認証されない場合には、ステップＳ１４０に進む。なお、第４の実施形態では、ステップＳ９０が終了した時点、あるいはステップＳ１００が終了した時点が、先に説明した制御基準点となる。
【００９０】
ステップＳ１１０では、給電許容時間Ｔ３が経過したか否かを判定する。給電許容時間Ｔ３が経過した場合には、ステップＳ１４０に進む。給電許容時間Ｔ３が経過していない場合には、ステップＳ１２０に進む。
【００９１】
ステップＳ１２０では、給電ランプ７７ｄが赤色に点灯する。処理後、ステップＳ１３０に進む。
【００９２】
ステップＳ１３０では、プラグＰ１が差し込まれているか否かを検出する。刃検出センサ６３がプラグＰ１の刃を検出できない場合には、ステップＳ１４０に進む、プラグＰ１の刃を検出した場合には、ステップＳ１１０に進む。
【００９３】
ステップＳ１４０では、電磁継電器３５をオフにする。ＣＰＵ４９が、コイル３５ａを非励磁状態にする指令信号を出力し、電源分離回路５３、ドライバ５７を経由してコイル３５ａを非励磁状態にする。ステップＳ１３０実行前において、コイル３５ａが非励磁状態である場合には、コイル３５ａの非励磁状態が維持される。機械接点３５ｂは開いた状態が維持されるので、プラグ受け２９ｃには給電がなされない。ステップＳ１３０実行前において、コイル３５ａが励磁状態である場合には、コイル３５ａが励磁状態から非励磁状態に制御される。その際、機械接点３５ｂが開いて、プラグ受け２９ｃへの給電を停止する。処理後、ステップＳ１５０に進む。
【００９４】
ステップＳ１５０では、制御を終了する。
【００９５】
上記制御手順によれば、次のようにして、盗電を防止することができる。
（１）識別情報が認証されない場合、プラグ受け２９ｃに給電がなされない。
（２）プラグセット許容時間Ｔ２が経過し、刃検出センサ６３がプラグＰ１の刃を検出した場合には、盗電防止制御手段が、電磁継電器３５のコイル３５ａを励磁状態にしてプラグ受け２９ｃに給電するように制御することができる。具体的には、刃検出センサ６３がプラグＰ１の刃を検出できない場合には、盗電防止制御手段が、電磁継電器３５のコイル３５ａを非励磁状態にしてプラグ受け２９ｃに給電しないように制御することができる。
（３）制御基準点に到達すると、コイル３５ａの励磁状態または非励磁状態が維持される。ただし、刃検出センサ６３がプラグＰ１の刃を検出している状態からプラグＰ１の刃を検出できない状態になった場合には、プラグＰ１が抜かれたものとして、電磁継電器３５のコイル３５ａを非励磁状態にし、以降、プラグ受け２９ｃへの給電を停止することができる。
（４）制御基準点到達後、新たに、プラグＰ１をプラグ受け２９ｃに差し込んでも、給電がなされないように制御される。
（５）制御基準点到達時、プラグＰ１がプラグ受け２９ｃに差し込まれていない場合には、電磁継電器３５のコイル３５ａを非励磁状態とし、以降、プラグ受け２９ｃへの給電を停止することができる。
【００９６】
上記構成によれば、ＲＦＩＤタグ７３の識別情報が通信範囲内において読み取られ、かつ認証された後、ＲＦＩＤタグ７３が通信範囲外に配置されても、盗電防止制御手段が、刃検出センサ６３によるプラグＰ１の刃の検出結果に基づいて、電磁継電器３５を制御して盗電を防止することができる。つまり、ＲＦＩＤタグ７３は、一時的な電子キーとして機能し、ＲＦＩＤタグ７３に記憶された識別情報を、常に識別情報読み取り手段で読み取る必要がない。そのため、充電中にＩＣカードが盗まれて、ＩＣカードを複製されてしまう、あるいは識別情報を盗まれてしまう可能性を排除することができる。また、電源プラグにＲＦＩＤを取り付けなくてもよいので、盗電しようとする者が電源プラグを取り外し、あるいはＲＦＩＤタグを取り外し、ＲＦＩＤタグをＲＦＩＤリード／ライト装置に近接して、盗電する可能性も排除できる。
【００９７】
その結果、盗電防止効果の高いコンセント装置を提供することができる。
【００９８】
（第５の実施形態）
上述した制御基準点は、プラグセット許容時間Ｔ２が終了したときに限るものではない。先に説明したように、制御基準点とは、制御基準点以降において、新たに電源プラグを差し込んでも、給電しない盗電防止制御を行うための基準となる点であり、盗電防止を損ねない限りにおいて、自由に設定が可能である。
【００９９】
例えば、第1の実施形態で説明した図１０のフローチャートにおいて、ステップＳ７０を削除し、ステップＳ６０において、給電ランプ７７ｄが緑色に点灯したときを制御基準点としてもよい。この場合、コンセント装置の構成は、第１の実施形態で説明した構造と同様でよいが、認証動作（ＲＦＩＤタグ７３が配置された携帯電話ＴをＲＦＩＤリード／ライト装置７５に近づける行為）を行う前に、プラグ差込口にプラグを差し込んでおくことが必要である。
【０１００】
（第６の実施形態）
第１の実施形態乃至第５の実施形態では、本発明のコンセント装置を屋外用として用いた場合について説明したが、室内用として用いてもよい。図１８に、本発明のコンセント装置を室内用として用いた場合の側面図を示す。この場合、盗電防止装置１５に、カバー、錠などを設けて、設定変更手段６７の操作をできないようにするとともに、盗電防止装置１５の内部から容易に盗電できないようにするとよい。
【０１０１】
（第７の実施形態）
第１の実施形態乃至第６の実施形態では、カバー２７を外して内部の配線から盗電される危険性があった。そこで、図１８に示すように、コンセント本体部８９に、カバー９１の着脱を検出する着脱検出センサ９３を設け、カバー９１を取り外した場合に、プラグ受け２９ｃ、２９ｄへの給電を停止するようにしてもよい。カバー９１は、本発明の覆い部材の一例を構成する。着脱検出センサ９３は、本発明の覆い部材検出センサを構成する。着脱検出センサ９３は、反射型の光電センサが用いられており、本発明の覆い部材検出センサの一例を構成する。なお、覆い部材検出センサは、反射型の光電センサに限るものではない。例えば、透過型の光電センサ、リミットスイッチ、静電容量型センサなどであってもよい。
【０１０２】
（第８の実施形態）
第１の実施形態乃至第７の実施形態では、電源プラグの刃を検出するようにしたが、電源プラグの底面を検出するようにしてもよい。図１８に示すように、プラグＰ１の底面を検出する底面検出センサ９５、接地極付プラグＰ２の底面を検出する底面検出センサ９７が、コンセント本体部８９に設けられている。底面検出センサ９５、底面検出センサ９７は、第１の実施形態に示す刃検出センサに相当するもので、本発明の底面検出手段を構成する。
【０１０３】
底面検出センサ９５、底面検出センサ９７は、反射型の光電センサが用いられるが、これに限定されるものではない。例えば、近接センサ、反射型のレーザーセンサであってもよい。なお、コンセント１３のうち、プラグＰ１、接地極付プラグＰ２の着座面を境界面とし、プラグ側をプラグ領域、コンセント側をコンセント領域と規定した場合に、上述した底面検出センサ９５、底面検出センサ９７は、コンセント領域に配置されるとよい。
【０１０４】
（第９の実施形態）
図１９乃至図２１に例示するように、電源プラグの着座面（底面）が溝部９９の底部となるように、コンセントが形成されていてもよい。この場合、溝部９９が盗電の障害として機能する。例えば、底面検出センサ９５の検出可能距離を寸法Ｌ１（溝部９９の底部からの距離、図示せず）、溝部９９の高さを寸法Ｌ２とした場合に、Ｌ２＞Ｌ１となるように、溝部９９の高さを形成すると、盗電をしようとする者が、電源プラグの着座面（底面）とコンセントとの隙間に所定の部材を差し込んで、底面検出センサ９５の検出状態を維持し、電源プラグＰ１を差し換え、盗電をすることが困難になるからである。なお、プラグＰ１と溝部側面９９ａとの隙間ｔ１は、小さくするとよい。
【０１０５】
（その他の実施形態）
第１の実施形態では、ＲＦＩＤリード／ライト装置７５が屋外に設けられたが、ＲＦＩＤリード／ライト装置７５が室内に設けられていてもよい。
【０１０６】
また、識別情報認証手段は、盗電防止制御手段と別体に構成されていてもよい。また、識別情報認証手段がＲＦＩＤリード／ライト装置７５に設けられていてもよい。
【０１０７】
また、コンセント装置は、プラグ受け、刃検出センサ、電磁継電器、ＲＦＩＤ、ＲＦＩＤリード／ライト装置、識別情報認証手段、盗電防止制御手段を備えた構成としてもよく、プラグ受け、刃検出センサ、電磁継電器、ＲＦＩＤリード／ライト装置、識別情報認証手段、盗電防止制御手段を備えた構成としてもよい。
【０１０８】
また、コンセント装置は、プラグ受け、底面検出センサ、電磁継電器、ＲＦＩＤ、ＲＦＩＤリード／ライト装置、識別情報認証手段、盗電防止制御手段を備えた構成としてもよく、プラグ受け、底面検出センサ、電磁継電器、ＲＦＩＤリード／ライト装置、識別情報認証手段、盗電防止制御手段を備えた構成としてもよい。
【０１０９】
また、プラグ受け、刃検出センサ、電磁継電器、ＲＦＩＤタグ、ＲＦＩＤリード／ライト装置、識別情報認証手段、盗電防止制御手段の各要素を、少なくともプラグ受け、電磁継電器、盗電防止制御手段を備えた盗電防止ユニットと、刃検出センサ、ＲＦＩＤタグ、ＲＦＩＤリード／ライト装置、識別情報認証手段のいずれか１つを含む周辺装置のいずれかに分類した場合に、盗電防止ユニットを備え、周辺装置と併せて使用することにより盗電を防止するものであってもよい。
【０１１０】
また、プラグ受け、刃検出センサ、電磁継電器、ＲＦＩＤリード／ライト装置、識別情報認証手段、盗電防止制御手段の各要素を、少なくともプラグ受け、電磁継電器、盗電防止制御手段を備えた盗電防止ユニットと、刃検出センサ、ＲＦＩＤリード／ライト装置、識別情報認証手段のいずれか１つを含む周辺装置のいずれかに分類した場合に、盗電防止ユニットを備え、周辺装置と併せて使用することにより盗電を防止するものであってもよい。
【０１１１】
また、プラグ受け、底面検出センサ、電磁継電器、ＲＦＩＤタグ、ＲＦＩＤリード／ライト装置、識別情報認証手段、盗電防止制御手段の各要素を、少なくともプラグ受け、電磁継電器、盗電防止制御手段を備えた盗電防止ユニットと、底面検出センサ、ＲＦＩＤタグ、ＲＦＩＤリード／ライト装置、識別情報認証手段のいずれか１つを含む周辺装置のいずれかに分類した場合に、盗電防止ユニットを備え、周辺装置と併せて使用することにより盗電を防止するものであってもよい。
【０１１２】
また、プラグ受け、底面検出センサ、電磁継電器、ＲＦＩＤリード／ライト装置、識別情報認証手段、盗電防止制御手段の各要素を、少なくともプラグ受け、電磁継電器、盗電防止制御手段を備えた盗電防止ユニットと、底面検出センサ、ＲＦＩＤリード／ライト装置、識別情報認証手段のいずれか１つを含む周辺装置のいずれかに分類した場合に、盗電防止ユニットを備え、周辺装置と併せて使用することにより盗電を防止するものであってもよい。
【０１１３】
また、各実施形態において説明したコンセント１３、盗電防止装置１５、ＲＦＩＤリード／ライト装置７５のうち、いずれか２つは一体に構成されていてもよい。また、コンセント１３、盗電防止装置１５、ＲＦＩＤリード／ライト装置７５が一体で構成されていてもよい。
【０１１４】
また、第１の実施形態乃至第３の実施形態で説明した刃検出センサ６３、６５（図７参照）がプラグＰ１の刃、プラグＰ２の刃を検出するタイミングは、識別情報を認証するより前であってもよい。この場合、プラグセット許容時間Ｔ２内にプラグセットを完了させ、設定完了ボタン７７ｂを押した後、短い間（例えば１０秒以内）にＲＦＩＤタグ７３をＲＦＩＤリード／ライト装置７５に近づけて識別情報を認証させなければ、給電プラグ受け２９ｃ、２９ｄに給電しないように制御するとよい。
【０１１５】
同様に、第４の実施形態で説明した刃検出センサ６３（図１５参照）がプラグＰ１の刃を検出するタイミングは、識別情報を認証するより前であってもよい。この場合、プラグセット許容時間Ｔ２内にプラグセットを完了させ、設定完了ボタン７７ｂを押した後、短い間（例えば１０秒以内）にＲＦＩＤタグ７３をＲＦＩＤリード／ライト装置７５に近づけてさせて識別情報を認証させなければ、給電プラグ受け２９ｃに給電しないように制御するとよい。
【０１１６】
また、制御基準点が、識別情報を認証したとき以降である場合、第１の実施形態のように、識別情報が認証された時点をもって、初めて電磁継電器３５、３７を制御するのではなく、識別情報が認証される前に、プラグＰ１の刃、接地極付プラグＰ２の刃を検出した時点で、プラグＰ１の刃、接地極付プラグＰ２の刃を検出したプラグ受けに通電し、識別情報が認証されたときに、プラグＰ１の刃、接地極付プラグＰ２の刃を検出できないプラグ受け２９ｃ、２９ｄへの給電を停止してもよい。この場合、プラグセット許容時間Ｔ２内にプラグセットを完了させ、設定完了ボタン７７ｂを押した後、短い間（例えば１０秒以内）にＲＦＩＤタグ７３をＲＦＩＤリード／ライト装置７５に近づけてさせて識別情報を認証させなければ、給電プラグ受け２９ｃ、２９ｄに給電しないように制御するとよい。
【０１１７】
また、上述した給電許容時間Ｔ３をプラグセット許容時間Ｔ２と同じに設定してもよい。
【０１１８】
また、第１の実施形態において、電路２５、個別電路２５ａ、２５ｂ、２５ｃのいずれかに電力量検出手段を設け、ＲＦＩＤタグ７３を経由して、携帯電話Ｔの画面に、消費電力を表示するようにしてもよい。また、本コンセント装置を電気供給スタンドに用いた場合に、携帯電話Ｔの画面に、消費電力を表示するとともに、消費電力に応じた料金を表示するようにしてもよい。
【０１１９】
また、ＲＦＩＤタグは、アクティブタグ、セミアクティブタグであってもよい。
【０１２０】
また、コンセントまたはコンセント装置を複数設け、上位コンピュータで、盗電防止制御を行うようにしてもよい。
【０１２１】
また、コンセントの形態は、抜止形、引掛形、露出形、埋込形であってもよく、電源プラグ差込口に遮蔽する扉を備えたものであってもよい。
【０１２２】
なお、本明細書において説明した各実施形態は本発明の一実施形態であり、特許請求の範囲を満足する限りにおいて、これに限定されるものではない。
【符号の説明】
【０１２３】
１１・・・ コンセント装置
１３・・・コンセント
１５・・・盗電防止装置
１７・・・入力装置
２３・・・コンセント本体
２５・・・給電線
２５ａ・・・給電線（個別電路）
２５ｂ・・・給電線（個別電路）
２５ｃ・・・給電線
２９・・・端子台
２９ａ・・・プラグ差込口
２９ｂ・・・プラグ差込口
２９ｃ・・・プラグ受け
２９ｄ・・・プラグ受け
２９ｅ・・・接続端子
２９ｆ・・・接続端子
３５・・・電磁継電器（電路開閉器）
３５ａ・・・コイル
３５ｂ・・・機械接点
３７・・・電磁継電器（電路開閉器）
３７ａ・・・コイル
３７ｂ・・・機械接点
３９・・・盗電防止制御装置
４９・・・ＣＰＵ
５１・・・メモリ
５３・・・電源分離回路
５５・・・電源分離回路
５７・・・ドライバ
５９・・・ドライバ
６１・・・タイマ回路
６３・・・刃検出センサ（刃検出手段）（刃底面検出手段）
６５・・・刃検出センサ（刃検出手段）（刃底面検出手段）
７３・・・ＲＦＩＤタグ
７５・・・ＲＦＩＤリード／ライト装置
７７・・・操作部
９５・・・底面検出センサ（刃検出手段）（刃底面検出手段）
９７・・・底面検出センサ（刃検出手段）（刃底面検出手段）
９９・・・溝部
Ｔ・・・携帯電話
【手続補正３】
【補正対象書類名】図面
【補正対象項目名】図１
【補正方法】変更
【補正の内容】
【図１】
2012085371.tif 000001
【手続補正４】
【補正対象書類名】図面
【補正対象項目名】図１０
【補正方法】変更
【補正の内容】
【図１０】
2012085371.tif 000002
【手続補正５】
【補正対象書類名】図面
【補正対象項目名】図１１
【補正方法】変更
【補正の内容】
【図１１】
2012085371.tif 000003
【手続補正６】
【補正対象書類名】図面
【補正対象項目名】図１７
【補正方法】変更
【補正の内容】
【図１７】
2012085371.tif 000004